(57)【要約】【課題】  上げ下ろしで穿いたり脱いだりする際に、係止部が外れないようにして、前腹部から吸収性本体が外れ落ちないようにした開閉式使い捨てパンツを提供する。【解決手段】  帯状前腹部Ｐと帯状後背部Ｑとに跨って吸収性本体３が設けられた使い捨てパンツ１Ａにおいて、上記帯状前腹部Ｐの内面両側に吸収性本体３の外面が着脱可能な係止部２４〜２６で係止されて取付けられ、上記帯状前腹部Ｐの両側係止位置の間の内面と吸収性本体３の外面との少なくとも一部は固着部２３で固着され、上記帯状前腹部Ｐの固着位置と両側係止位置との間に、帯状前腹部Ｐを左右に切り離し可能な切離部２２が形成されている。【選択図】  図１
2005287982.tif 000002
【特許請求の範囲】
【請求項１】
帯状前腹部と帯状後背部とに跨って吸収性本体が設けられた使い捨てパンツにおいて、
上記帯状前腹部の内面両側に吸収性本体の外面が着脱可能な係止部で係止されて取付けられ、上記帯状前腹部の両側係止位置の間の内面と吸収性本体の外面との少なくとも一部は固着部で固着され、上記帯状前腹部の固着位置と両側係止位置との間に、帯状前腹部を左右に切り離し可能な切離部が形成されていることを特徴とする開閉式使い捨てパンツ。
【請求項２】
前腹部と股部と後背部とに跨って吸収性本体が設けられた使い捨てパンツにおいて、
上記前腹部の内面両側に吸収性本体の外面が着脱可能な係止部で係止されて取付けられ、上記前腹部の両側係止位置の間の内面と吸収性本体の外面との少なくとも一部は固着部で固着され、上記前腹部の固着位置と両側係止位置との間に、前腹部を左右に切り離し可能な切離部が形成されていることを特徴とする開閉式使い捨てパンツ。
【請求項３】
帯状前腹部と帯状後背部とを有して、この帯状後背部とこれから前方に延在させた延長股部とに跨って吸収性本体が設けられた使い捨てパンツにおいて、
上記帯状前腹部の内面両側に吸収性本体の外面に位置する延長股部の外面が着脱可能な係止部で係止されて取付けられ、上記帯状前腹部の両側係止位置の間の内面と延長股部の外面との少なくとも一部は固着部で固着され、上記帯状前腹部の固着位置と両側係止位置との間に、帯状前腹部を左右に切り離し可能な切離部が形成されていることを特徴とする開閉式使い捨てパンツ。
【請求項４】
帯状前腹部と、後背部分を有する吸収性本体が設けられた使い捨てパンツにおいて、
上記帯状前腹部の内面両側に吸収性本体の外面が着脱可能な係止部で係止されて取付けられ、上記帯状前腹部の両側係止位置の間の内面と吸収性本体の外面との少なくとも一部は固着部で固着され、上記帯状前腹部の固着位置と両側係止位置との間に、帯状前腹部を左右に切り離し可能な切離部が形成されていることを特徴とする開閉式使い捨てパンツ。
【請求項５】
上記切離部の一部に完全切断部が形成されていることを特徴とする請求項１〜４のいずれか１項に記載の開閉式使い捨てパンツ。
【請求項６】
上記完全切断部にタブ部が形成されていることを特徴とする請求項５記載の開閉式使い捨てパンツ。
【発明の詳細な説明】
【技術分野】
【０００１】
本発明は、開閉式使い捨てパンツに関する。
【背景技術】
【０００２】
従来、前腹部と後背部とに跨って吸収性本体が設けられた使い捨てパンツにおいて、上記前腹部の内面両側に吸収性本体の外面側がメカニカルファスナー（係止部）で着脱可能に係止されて取付けられ、上記前腹部の両側係止位置の間に、前腹部を左右に切り離し可能な切離部（ミシン目）が形成された開閉式使い捨てパンツがある（特許文献１参照）。
【０００３】
この開閉式使い捨てパンツは、切離部の切り離し前は、通常の使い捨てパンツと同様に、上げ下ろしで穿いたり脱いだりすることができる。
【０００４】
そして、切離部を切り離すと、前腹部が左右に切り離されて、メカニカルファスナーを外しながら左前腹部と右前腹部とを後背部の左右外方に展開させ、ついで吸収性本体を着用者の股部から前方に展開させると、展開させた使い捨てパンツを横にずらせるだけで、仰臥位や側臥位の着用者から容易に脱がせることができる。
【０００５】
この切離部を切り離した後の使い捨てパンツは、展開状態で後背部を着用者の背部に当てがい、吸収性本体を後から前に着用者の股部に当てがい、左前腹部と右前腹部とを左右内方に折り返して、吸収性本体にメカニカルファスナーで係止することで、再び着用者に穿かせることができる。
【特許文献１】特表２００３−５２６４０６号公報
【発明の開示】
【発明が解決しようとする課題】
【０００６】
しかしながら、特許文献１の開閉式使い捨てパンツでは、吸収性本体と前腹部とはメカニカルファスナーで係止されているだけであったから、切離部の切り離し前に、通常の使い捨てパンツと同様に、上げ下ろしで穿いたり脱いだりすることを繰り返すと、メカニカルファスナーに繰り返し引っ張り力が加わることで係止が甘くなって外れ、前腹部から吸収性本体が外れ落ちるおそれがあった。
【０００７】
本発明は、上記問題を解消するためになされたもので、上げ下ろしで穿いたり脱いだりする際に、係止部が外れないようにして、前腹部から吸収性本体が外れ落ちないようにした開閉式使い捨てパンツを提供することを課題とするものである。
【課題を解決するための手段】
【０００８】
上記課題を解決するために、請求項１の発明は、帯状前腹部と帯状後背部とに跨って吸収性本体が設けられた使い捨てパンツにおいて、
上記帯状前腹部の内面両側に吸収性本体の外面が着脱可能な係止部で係止されて取付けられ、上記帯状前腹部の両側係止位置の間の内面と吸収性本体の外面との少なくとも一部は固着部で固着され、上記帯状前腹部の固着位置と両側係止位置との間に、帯状前腹部を左右に切り離し可能な切離部が形成されていることを特徴とする開閉式使い捨てパンツを提供するものである。
【０００９】
請求項２の発明は、前腹部と股部と後背部とに跨って吸収性本体が設けられた使い捨てパンツにおいて、
上記前腹部の内面両側に吸収性本体の外面が着脱可能な係止部で係止されて取付けられ、上記前腹部の両側係止位置の間の内面と吸収性本体の外面との少なくとも一部は固着部で固着され、上記前腹部の固着位置と両側係止位置との間に、前腹部を左右に切り離し可能な切離部が形成されていることを特徴とする開閉式使い捨てパンツを提供するものである。
【００１０】
請求項３の発明は、帯状前腹部と帯状後背部とを有して、この帯状後背部とこれから前方に延在させた延長股部とに跨って吸収性本体が設けられた使い捨てパンツにおいて、
上記帯状前腹部の内面両側に吸収性本体の外面に位置する延長股部の外面が着脱可能な係止部で係止されて取付けられ、上記帯状前腹部の両側係止位置の間の内面と延長股部の外面との少なくとも一部は固着部で固着され、上記帯状前腹部の固着位置と両側係止位置との間に、帯状前腹部を左右に切り離し可能な切離部が形成されていることを特徴とする開閉式使い捨てパンツを提供するものである。
【００１１】
請求項４の発明は、帯状前腹部と、後背部分を有する吸収性本体が設けられた使い捨てパンツにおいて、
上記帯状前腹部の内面両側に吸収性本体の外面が着脱可能な係止部で係止されて取付けられ、上記帯状前腹部の両側係止位置の間の内面と吸収性本体の外面との少なくとも一部は固着部で固着され、上記帯状前腹部の固着位置と両側係止位置との間に、帯状前腹部を左右に切り離し可能な切離部が形成されていることを特徴とする開閉式使い捨てパンツを提供するものである。
【００１２】
請求項５の発明は、請求項１〜４のいずれか１項に記載の開閉式使い捨てパンツであって、上記切離部の一部に完全切断部が形成されていることを特徴とするものである。
【００１３】
請求項６の発明は、請求項５記載の開閉式使い捨てパンツであって、上記完全切断部にタブ部が形成されていることを特徴とするものである。
【発明の効果】
【００１４】
請求項１の発明は、帯状前腹部と帯状後背帯部とに跨って吸収性本体を設けたタイプの使い捨てパンツを対象としたものである。
【００１５】
このタイプでは、帯状前腹部の内面両側に吸収性本体の外面を着脱可能な係止部で係止して取付けるとともに、帯状前腹部の両側係止位置の間の内面と吸収性本体の外面とを固着部で固着して、帯状前腹部の固着位置と両側係止位置との間に、帯状前腹部を左右に切り離し可能な切離部を形成しているから、切離部の切り離し前に、通常の使い捨てパンツと同様に、上げ下ろしで穿いたり脱いだりすることを繰り返しても、前腹部と吸収性本体とは、係止部による係止の他に、固着部でも強固に固着しているので、係止部が外れなくなって、前腹部から吸収性本体が外れ落ちないようになる。
【００１６】
また、切離部を切り離すと、切離部の間の固着部分は吸収性本体に残るが、前腹部が左右に切り離されて、係止部を外しながら左前腹部と右前腹部とを後背部の左右外方に展開させ、ついで吸収性本体を着用者の股部から前方に展開させると、展開させた使い捨てパンツを横にずらせるだけで、仰臥位や側臥位の着用者から容易に脱がせることができる。
【００１７】
この切離部を切り離した後の使い捨てパンツは、展開状態で後背部を着用者の背部に当てがい、吸収性本体を後から前に着用者の股部に当てがい、左前腹部と右前腹部とを左右内方に折り返して、吸収性本体に係止部で係止することで、再び着用者に穿かせることができる。
【００１８】
請求項２の発明は、前腹部と股部と後背部とに跨って吸収性本体を設けたタイプの使い捨てパンツを対象としたものである。
【００１９】
このタイプでは、前腹部の内面両側に吸収性本体の外面を着脱可能な係止部で係止して取付けるとともに、前腹部の両側係止位置の間の内面と吸収性本体の外面とを固着部で固着して、前腹部の固着位置と両側係止位置との間に、前腹部を左右に切り離し可能な切離部を形成しているから、請求項１と同様の作用効果を奏することができる。
【００２０】
請求項３の発明は、帯状前腹部と帯状後背部とを有して、この帯状後背部とこれから前方に延在した延長股部とに跨って吸収性本体を設けたタイプの使い捨てパンツを対象としたものである。
【００２１】
このタイプでは、帯状前腹部の内面両側に延長股部の外面を着脱可能な係止部で係止して取付けるとともに、帯状前腹部の両側係止位置の間の内面と延長股部の外面とを固着部で固着して、帯状前腹部の固着位置と両側係止位置との間に、帯状前腹部を左右に切り離し可能な切離部を形成しているから、請求項１と同様の作用効果を奏することができる。
【００２２】
請求項４の発明は、帯状前腹部と、後背部分を有する吸収性本体を設けた使い捨てパンツを対象としてものである。
【００２３】
このタイプでは、帯状前腹部の内面両側に吸収性本体の外面を着脱可能な係止部で係止して取付けるとともに、帯状前腹部の両側係止位置の間の内面と吸収性本体の外面とを固着部で固着して、帯状前腹部の固着位置と両側係止位置との間に、帯状前腹部を左右に切り離し可能な切離部を形成しているから、請求項１と同様の作用効果を奏することができる。
【００２４】
請求項５の発明によれば、切離部の一部に完全切断部を形成したから、切離部の切り離し時に、この完全切断部に指を引っ掛ければ、切離部の切り離しが容易に行えるようになる。
【００２５】
請求項６の発明によれば、完全切断部にタブ部を形成したから、このタブ部を指で摘めば、切離部の切り離しがより容易に行えるようになる。
【発明を実施するための最良の形態】
【００２６】
以下、本発明を実施するための最良の形態について、図面を参照しながら詳細に説明する。
【００２７】
図１（ａ）は、第１実施形態の開閉式使い捨てパンツ１Ａの組立て状態の正面図、同（ｂ）は、右前腹部Ｐ２の展開状態の正面図、図２（ａ）は、左前腹部Ｐ１の展開状態の正面図、同（ｂ）は、吸収性本体３の展開状態の正面図、図３は、図１（ａ）のＡ−Ａ線断面図であり、この使い捨てパンツ１Ａは、パンツ本体２と吸収性本体３とを組み合わせて構成されている。
【００２８】
上記吸収性本体３は、展開状態で縦長長方形状に構成されて、トップシート４と、バックシート５との間に吸収コア６が挟み込まれて接合されている。
【００２９】
上記吸収性本体３の吸収コア６の両側には、長さ方向に伸張状態で脚用弾性部材７が添設されている。
【００３０】
上記吸収性本体３の内面両側には、立ち上がりフラップ８の基端部８ａが接合されているとともに、この立ち上がりフラップ８の立ち下がり部８ｂには、長さ方向に伸張状態で立ち上がり用弾性部材９が添設されている。
【００３１】
上記立ち上がりフラップ８の前後端部８ｃ，８ｄは、吸収性本体３の前部３ａと後部３ｂとのトップシート４に倒伏状態で接合されている。
【００３２】
次に、上記吸収性本体３を取付けるパンツ本体２を説明する。
【００３３】
上記パンツ本体２は、帯状の前腹部Ｐと帯状の後背部Ｑとを組み合わせて構成されている。
【００３４】
上記前腹部Ｐは、図２（ａ）（ｂ）では、右前腹部Ｐ２と左前腹部Ｐ１とに切り離された状態となっているが、切り離し前は、図１（ａ）のように、ミシン目状の切離部２２で一体的に連結されていて、必要な時に切離部２２で切り離して、図２（ａ）（ｂ）のように、右前腹部部Ｐ２と左前腹部Ｐ１とを左右外方に展開させることができる。以下で前腹部Ｐと言うときは、切り離し前の連結状態を指すものとする。
【００３５】
上記前腹部Ｐは、横長帯状に形成されて、図３を参照すれば、内装シート１１と外装シート１２との間に、前ウエスト用弾性部材１３と前ボディフィット用弾性部材１４とが幅方向に伸張状態で添設されて構成されている。
【００３６】
上記後背部Ｑは、横長帯状の下部に着用者の臀部の包み込み部Ｑ１が形成されて、図３を参照すれば、内装シート１５と外装シート１６との間に、後ウエスト用弾性部材１７と後ボディフィット用弾性部材１８とが幅方向に伸張状態で添設されるとともに、包みこ込み部Ｑ１の外縁に沿って脚用弾性部材１９が伸張状態で添設されて構成されている。
【００３７】
上記前腹部Ｐの内装シート１１には、上記吸収性本体３の前部３ａのバックシート（外面）５が接合されるとともに（この接合構造については後で詳細に説明する。）、上記後背部Ｑと包み込み部Ｑ１との内装シート１５には、上記吸収性本体３の後部３ｂのバックシート（外面）５が接合されている。なお、吸収性本体３を接合する前腹部Ｐと後背部Ｑの接合部分に位置する各弾性部材１３，１４，１７〜１９は、弱体化処理（切断等）を施して、その伸縮力が吸収性本体３に及ばないようにすることが好ましい。
【００３８】
上記前腹部Ｐと後背部Ｑとは、図１（ａ）のように、左右両端部２ａを相互に接合することで（サイドシール）、一体的に組み付けられて、前腹部Ｐと後背部Ｑとの間に胴回り開口を形成するようになっている。また、吸収性本体３を図１（ａ）のように二つ折りした時には、吸収性本体３の両側に脚用穴Ｓが形成されることになり、このとき吸収性本体３の長さ方向の中間部分が股部Ｒとなる。
【００３９】
上記前腹部Ｐには、吸収性本体３の幅方向の中央位置Ｃより外側で、両側縁部よりも内側の左右位置に、内装シート１１と外装シート１２とを貫通して上下方向に延在するミシン目状の切離部２２が形成されている。この切離部２２によって、後述するように、前腹部Ｐの中前腹部Ｐ３を吸収性本体３に残したままで、左前腹部Ｐ１と右前腹部Ｐ２とを切り離すことができる。
【００４０】
上記切離部２２の上下方向の中間部分には、ミシン目状では無く、完全に切断された完全切断部２１が形成されている。この完全切断部２１は、上下方向に真っ直ぐ切断されていても良いが〔図４（ｂ）参照〕、内方に湾曲させてタブ部２７にすることが好ましい。
【００４１】
上記前腹部Ｐの内装シート１１に吸収性本体３の前部３ａのバックシート（外面）５を接合する構造としては、上記左右位置の切離部２２と完全切断部２１との間の中前腹部Ｐ３にのみ吸収性本体３の前部３ａのバックシート（外面）５を固着部２３で固着する。この場合、中前腹部Ｐ３の全面に吸収性本体３を固着する必要は無く、例えば、破線で示したような縦長長方形状で固着することが接着剤の塗工作業等が簡単になるので好ましい。
【００４２】
上記吸収性本体３の前部３ａのバックシート（外面）５には、固着部２３より外側で、両側縁部よりも内側の左右位置に、メカニカルファスナーのループ材２４が接合されている。なお、このループ材２４は、固着部２３の部分に重なって設けられていても良く、この場合には、ループ材２４に吸収性本体３の前部３ａのバックシート（外面）５を固着部２３で固着すれば良い。
【００４３】
上記前腹部Ｐの内装シート１１には、上記切離部２２の外側位置で、この切離部２２に沿って上下方向に延在する縦長長方形状の第１フック材２５が接合されるとともに、上記タブ部２７には、正方形状の第２フック材２６が接合されている。なお、タブ部２７の第２フック材２６は必ずしも設ける必要は無い。
【００４４】
ここで、メカニカルファスナーとは、フック部とループ部とが対をなして、両者を強く圧迫すると、フック部とループ部とが相互に外れにくいように係止されるとともに、フック部とループ部とを手で強く引き剥がすと、フック部とループ部との係止が外れるものをいい、面ファスナーとも呼ばれている。
【００４５】
また、不織布製シート自体は、メカニカルファスナーのループ部としての機能も有するので、ループ部を設ける代わりに、不織布シートを利用すれば、ループ部を省略できる。なお、メカニカルファスナーに代えて、繰り返して係止・剥離可能な粘着剤であっても良い。
【００４６】
第１実施形態は、パンツ本体２である帯状前腹部Ｐと帯状後背帯部Ｑとに跨って吸収性本体３を設けたタイプの使い捨てパンツ１Ａである。
【００４７】
この使い捨てパンツ１Ａでは、前腹部Ｐの内面両側の第１、第２フック材２５，２６と吸収性本体３の外面のループ材２４とを着脱可能に係止して、前腹部Ｐの内面に吸収性本体３の前部３ａの外面を取付けるとともに、前腹部Ｐの中前腹部Ｐ３の内面に吸収性本体３の外面を固着部２３で固着して、帯状前腹部Ｐの固着位置と両側係止位置との間に、帯状前腹部Ｐを左右に切り離し可能な切離部２２を形成している。
【００４８】
そして、この使い捨てパンツ１Ａを着用者が穿く時（介護者が穿かせる時）は、前腹部Ｐと後背部Ｑとの間の胴回り開口から左右の脚を脚用穴Ｓにそれぞれ通して、前腹部Ｐが腹側、後背部Ｑが背側となるように使い捨てパンツ１Ａを引き上げると、前腹部Ｐと後背部Ｑは、各弾性部材１３，１４，１７，１８の収縮力で着用者の胴回りにフィットするとともに、脚用穴Ｓは、各弾性部材７，１９の収縮力で着用者の脚周りにフィットするようになる。また、吸収性本体３の股部Ｒは、立ち上がり用弾性部材９で立ち上がった立ち上がりフラップ１５とともに着用者の股回りにフィットするようになる。
【００４９】
また、使い捨てパンツ１Ａを着用者が脱ぐ時（介護者が脱がせる時）は、使い捨てパンツ１Ａを引き下げて、左右の脚を脚用穴Ｓからそれぞれ抜くようにすれば良い。
【００５０】
このように、切離部２２の切り離し前に、通常の使い捨てパンツと同様に、上げ下ろしで穿いたり脱いだりすることを繰り返しても、前腹部Ｐと吸収性本体３とは、メカニカルファスナーのループ材２４と第１、第２フック材２５，２６との係止の他に、固着部２３でも強固に固着しているので、メカニカルファスナーが外れなくなって、前腹部Ｐから吸収性本体３が外れ落ちないようになる。
【００５１】
さらに、使い捨てパンツ１Ａを着用者が穿いた状態で切離部２２を手で切り離すと、切離部２２の間の中前腹部（固着部分）Ｐ３は吸収性本体３に固着部２３で固着されているので、中前腹部Ｐ３は吸収性本体３に残るが、左右の前腹部Ｐ１，Ｐ２は吸収性本体３から左右に切り離されるようになる。
【００５２】
そして、右側のタブ部２７を指で摘んで引き上げながら第１、第２フック材２５，２６をループ材２４から引き剥がして、図１（ｂ）のように、右前腹部Ｐ２を右方向に開いて展開状態とするとともに、左側のタブ部２７を指で摘んで引き上げながら第１、第２フック材２５，２６をループ材２４から引き剥がして、図２（ａ）のように、左前腹部Ｐ１を左方向に開いて展開状態とする。その後、図２（ｂ）のように、吸収性本体３を前方向に開いて展開状態とすると、展開させた使い捨てパンツ１Ａを横にずらせるだけで、仰臥位や側臥位の着用者から容易に脱がせることができる。
【００５３】
この切離部２２を切り離した後の使い捨てパンツ１Ａは、展開状態で後背部Ｑを着用者の背部に当てがい、吸収性本体３を後から前に着用者の股部に当てがい、左前腹部Ｐ１と右前腹部Ｐ２とを左右内方に折り返して、吸収性本体３のループ材２４に第１、第２フック材２５，２６を係止することで、再び着用者に穿かせることができる。
【００５４】
一方、上記切離部２２の中間位置に完全切断部２１を形成したから、切離部２２の切り離し時に、この完全切断部２１に指を引っ掛ければ、切離部２２の切り離しが容易に行えるようになる。
【００５５】
また、完全切断部２１にタブ部２７を形成したから、このタブ部２７を指で摘めば、切離部２２の切り離しがより容易に行えるようになる。
【００５６】
図４（ａ）のように、切離部２２の完全切断部２１にタブ部２７を形成したり、図４（ｂ）のように、完全切断部２１を真っ直ぐ切断しても良いことは既に説明したが、図４（ｃ）のように、複数のタブ部２７を形成したり、図４（ｄ）のように、切離部２２に完全切断部２１を形成しなかったり、図４（ｅ）のように、切離部２２をＹ型にして交差部分に完全切断部２１を形成したり、図４（ｆ）のように、切離部２２をＸ型にして交差部分に完全切断部２１を形成したりすることができる。
【００５７】
図５（ａ）は、第２実施形態の開閉式使い捨てパンツ１Ｂの組立て状態の正面図、同（ｂ）は、右前腹部Ｐ２の展開状態の正面図、図３は、左前腹部Ｐ１と吸収性本体３の展開状態の正面図である。
【００５８】
第２実施形態は、前腹部Ｐと股部Ｒと後背部Ｑとを一体化してなるパンツ本体２であり、前腹部Ｐと股部Ｒと後背部Ｑとに跨って吸収性本体３を設けたタイプの使い捨てパンツ１Ｂである。
【００５９】
そして、前腹部Ｐと股部Ｒと後背部Ｑとに共通の内装シート２９と外装シート３０との間に、上記各弾性部材７，１３，１４，１７〜１９が対応する位置に添設されている。
【００６０】
この使い捨てパンツ１Ｂでは、前腹部Ｐの内面両側の第１、第２フック材２５，２６と吸収性本体３の外面のループ材２４とを着脱可能に係止して、前腹部Ｐの内面に吸収性本体３の前部３ａの外面を取付けるとともに、前腹部Ｐの中前腹部Ｐ３の内面に吸収性本体３の外面を固着部２３で固着して、前腹部Ｐの固着位置と両側係止位置との間に、前腹部Ｐを左右に切り離し可能な切離部２２を形成している。
【００６１】
かかる第２実施形態でも、前腹部Ｐの中前腹部Ｐ３の内面に吸収性本体３の外面を固着部２３で固着しているから、メカニカルファスナーが外れなくなって、前腹部Ｐから吸収性本体３が外れ落ちないようになる。
【００６２】
図２（ｂ）は、第１実施形態の使い捨てパンツ１Ａに二点鎖線部分を加えた第３実施形態の使い捨てパンツ１Ｃである。
【００６３】
第３実施形態は、帯状前腹部Ｐと帯状後背部Ｑとを有するパンツ本体２であり、後背部Ｑと延長股部Ｑ２とに跨って吸収性本体３を設けたタイプの使い捨てパンツ１Ｃである。
【００６４】
この使い捨てパンツ１Ｃでは、前腹部Ｐの内面両側の第１、第２フック材２５，２６と延長股部Ｑ２の外面のループ材２４とを着脱可能に係止して、前腹部Ｐの内面に延長股部Ｑ２の外面を取付けるとともに、前腹部Ｐの中前腹部Ｐ３の内面に延長股部Ｑ２の外面を固着部２３で固着して、帯状前腹部Ｐの固着位置と両側係止位置との間に、帯状前腹部Ｐを左右に切り離し可能な切離部２２を形成している。
【００６５】
かかる第３実施形態でも、前腹部Ｐの中前腹部Ｐ３の内面に延長股部Ｑ２の外面を固着部２３で固着しているから、メカニカルファスナーが外れなくなって、前腹部Ｐから吸収性本体３が外れ落ちないようになる。
【００６６】
図７は、帯状前腹部Ｐと、後背部分Ｑ３を有する吸収性本体３が設けられた第４実施形態の使い捨てパンツ１Ｄである。この使い捨てパンツ１Ｄでは、前腹部Ｐと吸収性本体３の後背部分Ｑ３との左右両端部２ａを相互に接合することで（サイドシール）、一体的に組み付けるようになる。
【００６７】
この使い捨てパンツ１Ｄでは、帯状前腹部Ｐの内面両側の第１、第２フック材２５，２６と吸収性本体３の外面のループ材２４（具体的に図示せず。）とを着脱可能に係止して、前腹部Ｐの内面に吸収性本体３の前部３ａの外面を取付けるとともに、前腹部Ｐの中前腹部Ｐ３の内面に吸収性本体３の外面を固着部２３で固着して、帯状前腹部Ｐの固着位置と両側係止位置との間に、帯状前腹部Ｐを左右に切り離し可能な切離部２２を形成している。
【００６８】
かかる第４実施形態でも、前腹部Ｐの中前腹部Ｐ３の内面に吸収性本体３の外面を固着部２３で固着しているから、メカニカルファスナーが外れなくなって、前腹部Ｐから吸収性本体３が外れ落ちないようになる。
【００６９】
上記各実施形態は、前腹部Ｐに吸収性本体３等をメカニカルファスナーで係止するものであったが、後背部Ｑに吸収性本体３等をメカニカルファスナーで係止するもの、前腹部Ｐと後背部Ｑの双方に吸収性本体３等をメカニカルファスナーで係止するものにも適用できることは言うまでもない。
【００７０】
上記各部材の構成材料等を簡単に説明する。
【００７１】
〔トップシート４〕
親水性（透液性）不織布材料が好ましい。例えば、親水性繊維（セルロース、レーヨン、コットン等）を用いた不織布材料、或いは疎水性繊維（ポリプロピレン、ポリエステル、ポリアミド、ナイロン等）の表面を界面活性剤により処理し、透液性として不織布材料が用いられる。好ましくは、疎水性繊維裏面を界面活性剤により処理し透液性とした目付１０〜３５ｇ／ｍ2の透液性不織布材料（ポイントボンド不織布、エアースルー不織布）である。
【００７２】
〔バックシート５〕
撥水性不織布材料（スパンボンド不織布、メルトブロー不織布、ＳＭＳ不織布等）、プラスチックフィルム（通気性であっても非通気性であっても良いが、好適な態様としては通気性プラスチックフィルムが望ましい）やその複合材料が用いられる。好ましくは、目付１５〜５０ｇ／ｍ2の通気性ポリエチレンフィルムである。
【００７３】
〔吸収コア６〕
粉砕したパルプ繊維やセルロース繊維等の親水性繊維集合層に粒状の高分子吸水体を混合した吸収性コアを、ティッシュペーパーなどの紙シート或いは透液性不織布シート等の被覆シートで包んで、所定形状（長方形、砂時計型、ひょうたん型等）に成形した吸収体である。上記繊維や高分子吸水体をシート状に成形したシート状吸収体（例えばエアレイド吸収体）等を、所定形状に成形して用いても構わない。また、着用者が歩いたり、寝返りを打ったりしても形状を保持できるように、親水性繊維集合層中やシートに形状保持手段（ホットメルト接着剤の塗布、合成繊維の混合）を施しても構わない。
【００７４】
〔立ち上がりフラップ８〕
親水性の場合は、トップシート４と同様の不織布材料が好ましい。撥水性の場合は、バックシート５と同様の不織布材料が好ましい。
【００７５】
〔弾性部材７，１３，１４，１７〜１９〕
通常使い捨ておむつに用いられる弾性伸縮材料（ポリウレタン糸、ポリウレタンフィルム、天然ゴム等）が用いられて、ホットメルト接着剤、熱接着、超音波接着など好適な添設手段でもって添設される。好ましくはゴム系のホットメルト接着剤である。また、繊度３００〜２０００デシテックスのポリウレタン糸を、倍率１．１〜５．０倍に伸長して添設するのが好ましい。
【００７６】
〔内装シート１１，１５，２９〕
撥水性不織布材料（スパンボンド不織布、メルトブロー不織布、ＳＭＳ不織布等）が用いられる。好ましくは、目付１０〜３５ｇ／ｍ2の撥水性不織布材料である。また、内面のみを親水化〔界面活性剤を塗布する或いは親水性繊維（レーヨン、コットン等）の層を作る。〕しても良く、この場合には、肌に当接した場合の感触が良くなり、吸汗効果も期待できる。
【００７７】
〔外装シート１２，１６，３０〕
通気性のある撥水性不織布材料（スパンボンド不織布、メルトブロー不織布、ＳＭＳ不織布等）が用いられる。好ましくは、目付１０〜３５ｇ／ｍ2の撥水性不織布材料である。
【００７８】
〔各シート材料の接合〕
上記各シート材料の接合は、ホットメルト接着剤、熱接合、超音波シール等の方法が適宜用いられる。ホットメルト接着剤については、ゴム系、ポリオレフィン系、酢酸ビニル系等のホットメルト接着剤から適切に選定して、直接的なコーター塗布、間接的なスパイラル塗布、メルトブロー（カーテンスプレー）塗布、ビード塗布等の方法で塗布する。なお、サイドシールの接合には、熱接合が好ましい。
【図面の簡単な説明】
【００７９】
【図１】第１実施形態の開閉式使い捨てパンツであり、（ａ）は組立て状態の正面図、（ｂ）は右前腹部の展開状態の正面図（第３実施形態の使い捨てパンツを兼用）である。
【図２】（ａ）は左前腹部の展開状態の正面図、（ｂ）は吸収性本体の展開状態の正面図である。
【図３】図１（ａ）のＡ−Ａ線断面図である。
【図４】（ａ）〜（ｆ）は、切離部と完全切断部と固着部との例をそれぞれ示す正面図である。
【図５】第２実施形態の開閉式使い捨てパンツであり、（ａ）は組立て状態の正面図、（ｂ）は、右前腹部の展開状態の正面図である。
【図６】吸収性本体の展開状態の正面図である。
【図７】第４実施形態の開閉式使い捨てパンツの展開状態の正面図である。
【符号の説明】
【００８０】
１（Ａ〜Ｄ）  開閉式使い捨てパンツ
２      パンツ本体
３      吸収性本体
２１    完全切断部
２２    切離部
２３    固着部
２４    ループ材（係止部）
２５    第１フック材（係止部）
２６    第２フック材（係止部）
２７    タブ部
Ｐ      前腹部
Ｐ１    左前腹部
Ｐ２    右前腹部
Ｐ３    中前腹部
Ｑ      後背部
Ｑ２    延長股部
Ｑ３    後背部分
Ｒ      股部
Ｓ      脚用穴
【図１】
2005287982.tif 000003
【図２】
2005287982.tif 000004
【図３】
2005287982.tif 000005
【図４】
2005287982.tif 000006
【図５】
2005287982.tif 000007
【図６】
2005287982.tif 000008
【図７】
2005287982.tif 000009